(57)【特許請求の範囲】
【請求項１】
第１加熱機器と第２加熱機器とを備えた浴室暖房システムであって、
前記第１加熱機器は、動作情報を入力する第１操作部と、この第１操作部で入力した動作情報に応じて第１加熱機器の動作を制御する第１制御部と、前記第１操作部で入力した動作情報に応じた情報を出力する出力部とを備えており、
前記第２加熱機器は、動作情報を入力する第２操作部と、この第２操作部で入力した動作情報に応じた情報を出力する第２制御部と、この第２制御部及び前記出力部のいずれか一方と情報伝達可能に接続される入力部と、この入力部に入力された情報に応じて加熱動作をする加熱部とを備えており、
前記第２加熱機器の加熱部は、前記入力部と前記出力部とが接続されたとき前記第１加熱機器の動作に連動して加熱動作をし、前記入力部と前記第２制御部とが接続されたときは前記第２操作部で入力した動作情報に応じて加熱動作をするようになっており、
前記第１加熱機器は電気式の浴室暖房換気乾燥機であり、前記第２加熱機器は電気式の浴室床暖房装置であり、
前記浴室暖房換気乾燥機が予備暖房運転を開始すると前記浴室床暖房装置が運転を開始し、前記浴室暖房換気乾燥機が予備暖房運転を停止したとき同時に、又は前記浴室床暖房装置の運転開始から所定時間が経過したとき前記浴室床暖房装置が運転を停止することを特徴とする浴室暖房システム。
【請求項２】
前記浴室暖房換気乾燥機は、前記第１操作部に予備暖房ボタンを有し、この予備暖房ボタンの押し操作により、予備暖房と浴室床暖房装置の連動運転、予備暖房単独運転、又は浴室床暖房装置の単独運転に切替可能に設けられていることを特徴とする請求項１記載の浴室暖房システム。
【請求項３】
前記第１加熱機器の出力部と前記第２加熱機器の入力部とは、リレーボックスを介して接続されており、このリレーボックスは、前記第１加熱機器の出力部からの出力信号に応じて、前記第２加熱機器の入力部に対しオン・オフ信号を出力するように設けられていることを特徴とする請求項１又は２記載の浴室暖房システム。
【発明の詳細な説明】
【技術分野】
【０００１】
本発明は、２種類の加熱機器を備えた浴室暖房システムに関する。
【背景技術】
【０００２】
近年、安全性及び快適性の観点から暖かいバスルームを実現するために、２種類の加熱機器を備えた浴室暖房システムが提案されている（特許文献１、２参照）。この浴室暖房システムは、例えば浴室の天井部に第１加熱機器としての浴室暖房換気乾燥機を設置するとともに、浴室の床部又は浴室に隣接する脱衣室の床部に第２加熱機器としての床暖房装置を設置してなる。
【先行技術文献】
【特許文献】
【０００３】
【特許文献１】特開２００８−５１３５３号公報
【特許文献２】特開平１１−６３５３８号公報
【発明の概要】
【発明が解決しようとする課題】
【０００４】
ところで、浴室暖房換気乾燥機は、入浴中に使用すると温風が入浴者の体に当たり、入浴者が寒く感じることがある。また、床暖房装置は、比較的に長い立ち上がり時間を要するため、入浴時に適切な温度にまで上げるためには、事前に運転しておく必要があった。
【０００５】
事前運転に際しては、浴室暖房換気乾燥機と床暖房装置を同時に運転すると温度上昇のスピードが速くなるが、手動で同時にオンしたり、オフしたりする必要がある。このため、同時運転を忘れたり、同時に切るために個々に設定が必要となり、切り忘れによる省エネの観点上の問題があった。
【０００６】
この問題の解決策として、浴室暖房換気乾燥機の制御部と床暖房装置の制御部とを別の制御装置等を用いて接続し、制御装置が浴室暖房換気乾燥機の制御部からの信号に基づいて床暖房装置の制御部に対しオン・オフ制御することが考えられる。しかし、この場合、浴室暖房換気乾燥機及び床暖房装置とは別に制御装置等が必要となるため、その分部品管理が面倒となり、コストが高くつくなどの問題がある。
【０００７】
本発明はかかる諸点に鑑み、その課題は、２種類の加熱機器を装備する当たり、連動で使用するときには一方の加熱機器の動作に連動して他方の加熱機器の動作を制御でき、別々の加熱機器として使用するときには各加熱機器で制御できるように構成する。これにより、別個の制御装置等を必要とせず、部品管理やコスト面などの観点から汎用性の高い浴室暖房システムを提供することにある。
【課題を解決するための手段】
【０００８】
前記の課題を解決するため、本発明は、第１加熱機器と第２加熱機器とを備えた浴室暖房システムを対象とする。そして、前記第１加熱機器は、動作情報を入力する第１操作部と、この第１操作部で入力した動作情報に応じて第１加熱機器の動作を制御する第１制御部と、前記第１操作部で入力した動作情報に応じた情報を出力する出力部とを備えており、前記第２加熱機器は、動作情報を入力する第２操作部と、この第２操作部で入力した動作情報に応じた情報を出力する第２制御部と、この第２制御部及び前記出力部のいずれか一方と情報伝達可能に接続される入力部と、この入力部に入力された情報に応じて加熱動作をする加熱部とを備えている。また、前記第２加熱機器の加熱部は、前記入力部と前記出力部とが接続されたとき前記第１加熱機器の動作に連動して加熱動作をし、前記入力部と前記第２制御部とが接続されたときは前記第２操作部で入力した動作情報に応じて加熱動作をする構成とする。さらに、前記第１加熱機器は電気式の浴室暖房換気乾燥機であり、前記第２加熱機器は電気式の浴室床暖房装置である。前記浴室暖房換気乾燥機が予備暖房運転を開始すると前記浴室床暖房装置が運転を開始し、前記浴室暖房換気乾燥機が予備暖房運転を停止したとき同時に、又は前記浴室床暖房装置の運転開始から所定時間が経過したとき前記浴室床暖房装置が運転を停止する構成とする。
【発明の効果】
【０００９】
本発明の浴室暖房システムによれば、第１加熱機器と第２加熱機器とが別々に使用できるだけでなく、連動で使用するときには第１加熱機器の出力部と第２加熱機器の入力部とが接続されると、第１加熱機器の動作に連動して第２加熱機器が動作する。このため、別個の制御装置等を要することなく、連動動作を実現することができるので、部品管理やコスト面等に優れ、汎用性を高めることができる。
【図面の簡単な説明】
【００１０】
【図１】図１は本発明の実施形態に係る浴室暖房システムの第１使用形態での構成を示すブロック構成図である。
【図２】図２は前記浴室暖房システムの第２使用形態での構成を示すブロック構成図である。
【図３】図３は前記浴室暖房システムの一構成部品であるリモコンの平面図である。
【図４】図４は前記浴室暖房システムの一構成部品であるリレーボックスの回路図である。
【発明を実施するための形態】
【００１１】
以下、本発明を実施するための形態である実施形態を図面に基づいて説明する。
【００１２】
図１及び図２は本発明の一実施形態に係る浴室暖房システム１の全体構成を示す。浴室暖房システム１は、浴室２の天井部２ａに設置された第１加熱機器としての電気式の浴室暖房換気乾燥機３と、浴室２の床部（詳しくは洗い場床部）２ｂに設置された第２加熱機器としての電気式の浴室床暖房装置４とを備えてなる。
【００１３】
浴室暖房換気乾燥機３は、機能的に暖房機能と換気機能と乾燥機能と涼風機能とを有している。また、浴室暖房換気乾燥機３は、制御系の機器として、動作情報を入力する第１操作部としてのリモコン１０と、リモコン１０で入力した動作情報に応じて浴室暖房換気乾燥機３の駆動部（図示せず）の動作を制御する第１制御部２０と、出力部２１とを備えている。
【００１４】
リモコン１０は、浴室２の外部の適宜箇所に取り付けられている。また、リモコン１０は、図３に示すように、液晶表示部１１と、６つの操作ボタンつまり予備暖房ボタン１２、乾燥ボタン１３、涼風ボタン１４、換気ボタン１５、２４時間換気ボタン１６及び切断ボタン１７と、５つの運転ランプ１８，１８，…とを有している。切断ボタン１７以外の操作ボタン１２〜１６が押し操作されたときには、その操作ボタンに対応した運転ランプ１８が点灯するようになっている。
【００１５】
第１制御部２０は、マイクロコンピュータからなり、リモコン１０の操作状況を動作情報として認識し、これに応じて浴室暖房換気乾燥機３の駆動部の動作を制御するようになっている。例えばリモコン１０の予備暖房ボタン１２が押し操作されたときには浴室暖房換気乾燥機３の駆動部が予備暖房運転をするように制御を行う。
【００１６】
出力部２１は、リモコン１０で入力した動作情報（つまり操作状況）に応じた情報（詳しくは後述のオン・オフ信号）を第１制御部２０の制御の下に出力するようになっている。
【００１７】
浴室床暖房装置４は、動作情報を入力する第２操作部としてのタイマー機能付きの床暖房スイッチ３０と、床暖房スイッチ３０で入力した動作情報（つまり操作状況）に応じた情報を出力する第２制御部３３と、入力部３１と、加熱部３２とを備えている。第２制御部３３は、マイクロコンピュータからなり、床暖房スイッチ３０の操作状況及び内蔵するタイマー等に基づいて、入力部３１に対しオン・オフ信号を出力するようになっている。入力部３１は、第２制御部３３及び出力部２１のいずれか一方と情報伝達可能に接続されるものである。加熱部３２は、ヒーター線等からなり、入力部３１に入力されたオン・オフ信号に応じて加熱動作（つまり加熱のオン・オフ動作）をするようになっている。
【００１８】
そして、浴室暖房システム１の第１使用形態として、浴室暖房換気乾燥機３と浴室床暖房装置４とを連動で使用するときには、図１に示すように、浴室暖房換気乾燥機３の出力部２１と浴室床暖房装置４の入力部３１とが接続される。この接続は、制御用中継コード４１、リレーボックス４２及び電源コード４３を介して行われる。
【００１９】
リレーボックス４２は、図４に示すように、電源コード４３の途中に設けられたリレースイッチ４４と、制御用中継コード４１の途中に設けられた励磁コイル４５とを有している。そして、出力部２１から制御用中継コード４１に出力信号（オン信号）として通電を行うと、励磁コイル４５の励磁によりリレースイッチ４４がオン位置に切り替わり、浴室床暖房装置４の入力部３１に対しオン信号の出力として電源供給を行う。一方、出力部２１から制御用中継コード４１に出力信号（オフ信号）として通電を行わないと、リレースイッチ４４がオフ位置に切り替わり、浴室床暖房装置４の入力部３１に対しオフ信号の出力として電源供給が遮断される。よって、リレーボックス４２は、浴室暖房換気乾燥機３の出力部２１からの出力信号に応じて、浴室床暖房装置４の入力部３１に対しオン・オフ信号を出力するように設けられている。
【００２０】
また、浴室床暖房装置４は、その入力部３１に入力されるオン・オフ信号に基づいて、浴室暖房換気乾燥機３の動作に連動して動作（つまり連動運転）するように設けられている。具体的には、浴室暖房換気乾燥機３が予備暖房運転を開始すると浴室床暖房装置４が運転を開始し、浴室暖房換気乾燥機３が予備暖房運転を停止したとき同時に、又は浴室床暖房装置４の運転開始から所定時間が経過したとき浴室床暖房装置４が運転を停止する。
【００２１】
ここで、リモコン１０は、連動運転に対応してユーザーが設定変更により連動運転固定方式と単独運転可能方式のいずれかを選択できるようになっている。
【００２２】
連動運転固定方式では、予備暖房ボタン１２を押すと浴室床暖房装置４が連動運転をし、予備暖房ボタン１２上の運転ランプ１８が点灯する。また、連動運転固定方式の設定中は、液晶表示部１１に「床暖房連動」の文字が表示される。
【００２３】
単独運転可能方式では、予備暖房ボタン１２を押すと順に、予備暖房と浴室床暖房装置４の連動運転、予備暖房単独運転、浴室床暖房装置４の単独運転に切替可能になっており、予備暖房ボタン１２上の運転ランプ１８が点灯する。また、液晶表示部１１に「床暖房連動」又は「床暖房」の文字が表示される。
【００２４】
また一方、浴室暖房システム１の第２使用形態として、浴室暖房換気乾燥機３と浴室床暖房装置４とを連動することなく別々に使用するときには、図２に示すように、浴室暖房換気乾燥機３の出力部２１と浴室床暖房装置４の入力部３１とは切り離される。また、浴室床暖房装置４の入力部３１に対しては、床暖房スイッチ３０及び第２制御部３３が電源コード５１を介して接続される。このとき、浴室床暖房装置４の加熱部３２は、入力部３１に入力される第２制御部３３のオン・オフ信号に基づいて浴室床暖房装置４の加熱動作をする。
【００２５】
尚、図１及び図２中、５２は浴室暖房換気乾燥機３用の１００Ｖ又は２００Ｖの交流電源、５３は浴室床暖房装置４用の１００Ｖの交流電源である。
【００２６】
従って、前記浴室暖房システム１によれば、浴室床暖房装置４の入力部３１に床暖房スイッチ３０及び第２制御部３３を電源コード５１を介して接続すると、浴室暖房換気乾燥機３と浴室床暖房装置４とを別々に使用することができる。また、浴室暖房換気乾燥機３の出力部２１と浴室床暖房装置４の入力部３１とをリレーボックス４２等を介して接続すると、浴室暖房換気乾燥機３の動作に連動して浴室床暖房装置４の加熱部３２が加熱動作をするため、別個の制御装置等を要することなく、連動動作を実現できる。この結果、部品管理やコスト面等に優れ、汎用性を高めることができるという効果を奏する。
【００２７】
特に、本実施形態の場合、浴室床暖房装置４の連動動作は、具体的には以下の通りである。すなわち、浴室暖房換気乾燥機３が予備暖房運転を開始すると浴室床暖房装置４が運転を開始し、浴室暖房換気乾燥機３が予備暖房運転を停止したとき同時に、又は浴室床暖房装置４の運転開始から所定時間が経過したとき浴室床暖房装置４が運転を停止する。このため、浴室床暖房装置４の連動動作を容易にかつ確実に実現することができ、実施化が図り易いという効果をも奏する。
【００２８】
また、この場合、リモコン１０の予備暖房ボタン１２の押し操作により、予備暖房と浴室床暖房装置４の連動運転、予備暖房単独運転、浴室床暖房装置４の単独運転に切替可能になっているため、使い勝手性を高めることができる。
【００２９】
更に、浴室暖房換気乾燥機３の出力部２１と浴室床暖房装置４の入力部３１とを接続するリレーボックス４２は、浴室暖房換気乾燥機３の出力部２１からの出力信号に応じて、浴室床暖房装置４の入力部３１に対しオン・オフ信号を出力するように設けられている。このため、浴室暖房換気乾燥機３の出力部２１と浴室床暖房装置４の入力部３１の間の情報伝達を確実に行うことができ、信頼性を高めることができる。
【００３０】
尚、本発明は前記実施形態に限定されるものではなく、その他種々の形態を包含するものである。例えば前記実施形態では、第１加熱機器として浴室暖房換気乾燥機３と、第２加熱機器として浴室床暖房装置４とを備えた浴室暖房システム１について述べたが、本発明は、これに限らず、例えば第１加熱機器としては、加熱機能付きの乾燥機等でも良い。また、第２加熱機器としては、浴室床暖房装置４に限らず、浴室の鏡の曇り止め用のヒーターや浴室に隣接する脱衣室などの床部に設置される床暖房装置やその他の加熱機器でも良い。
【００３１】
また、前記実施形態では、浴室暖房換気乾燥機３の出力部２１と浴室床暖房装置４の入力部３１とを接続するに当たり、制御用中継コード４１、リレーボックス４２及び電源コード４３を介して接続するように構成した。しかし、本発明は、これに限らず、例えば単に通信コードを介して接続するように構成しても良い。また、加熱部には、過熱を防止するため、サーモスタット等の安全装置を備えるようにしても良い。
【符号の説明】
【００３２】
１    浴室暖房システム
３    浴室暖房換気乾燥機（第１加熱機器）
４    浴室床暖房装置（第２加熱機器）
１０    リモコン（第１操作部）
１２    予備暖房ボタン
２０    第１制御部
２１    出力部
３０    床暖房スイッチ（第２操作部）
３１    入力部
３２    加熱部
３３    第２制御部
４２    リレーボックス
【図１】
0006497612.tif 000002
【図２】
0006497612.tif 000003
【図３】
0006497612.tif 000004
【図４】
0006497612.tif 000005